(57)【要約】【課題】ネットワーク回路を構成する必要なく、スピーカから放出された音の帯域を効果的に制限する構成を備えることで、リスニングポイントに依存することなく高音質の音響特性が得られるようにする。【解決手段】それぞれ異なる帯域の音を放出する２個のスピーカを１チャンネルごとに有するスピーカシステムにおいて、各スピーカのスピーカ軸に沿った音の放出方向（Ｆ）を前方とするとき、相対的に低帯域側の音を放出するミッドレンジスピーカ（１）の前方に、遮蔽物（２）を有する。【選択図】図１
2014086831.tif 000002
【特許請求の範囲】
【請求項１】
それぞれ異なる帯域の音を放出する少なくとも２個のスピーカをアンプ１チャンネルあたりに有するスピーカシステムにおいて、各スピーカのスピーカ軸に沿った音の放出方向を前方とするとき、
相対的に低帯域側の音を放出するスピーカの前方に、遮蔽物を有することを特徴とするスピーカシステム。
【請求項２】
請求項１に記載のスピーカシステムにおいて、
前記遮蔽物は、相対的に低帯域側の音を放出するスピーカの中でも特に高い周波数の音を集中的に放出するスピーカ中央部の前方に配置されていることを特徴とするスピーカシステム。
【請求項３】
請求項１に記載のスピーカシステムにおいて、
前記遮蔽物は、相対的に低帯域側のスピーカが音を放出する領域の前方に、所定の大きさ以上の総面積の開口を形成し、該開口は、前記低帯域側の音を放出するスピーカの音の放出部の中心よりも、相対的に高帯域側の音を放出するスピーカ側に寄せて設けられていることを特徴とするスピーカシステム。
【請求項４】
請求項３に記載のスピーカシステムにおいて、
前記低帯域側の音を放出するスピーカの中心に対して、前記開口が寄せて設けられた側と反対側の前記遮蔽物に、前記所定の大きさより小さい面積の開口を設けることを特徴とするスピーカシステム。
【請求項５】
請求項１〜４のいずれか１に記載のスピーカシステムを備えた映像表示装置。
【発明の詳細な説明】
【技術分野】
【０００１】
本発明は、スピーカシステム及び映像表示装置に関し、より詳細には、それぞれ異なる帯域の音を放出する２個のスピーカをアンプ１チャンネルに有するスピーカシステムと、当該スピーカシステムを備えた映像表示装置に関する。
【背景技術】
【０００２】
例えばスピーカを内蔵したテレビ受像機等の映像表示装置は、昨今ではそのデザイン性を高めるとの観点から、薄型で狭額縁化されたものが主流となっている。狭額縁化とは、液晶パネル等による表示画面の周囲のフレームの幅を狭くして、表示画面の周囲の所謂額縁をできるだけ少なくすることをいう。このような薄型、狭額縁化に伴い、スピーカを設置する場合にも設計的な制約が生じ、スピーカの選択の幅は非常に狭いものとなっている。しかしながら、このような設計的制約があるなかで、音質劣化を改善し、高品位の音響特性が得られるスピーカシステムが求められる。
【０００３】
スピーカシステムを大型化することなく音質を改善するための技術として、例えば、特許文献１には、スピーカの外形寸法を変えずに、指向性をコントロールすることを目的とするスピーカが開示されている。このスピーカは、振動板によって音響を出力するもので、振動板の第一の部位とユーザによる聴取位置との間に設けられた音響調整部材によって、振動板の第二の部位から出力されて聴取位置へ伝達する音響に対する、第一の部位から出力された音響の干渉を調整するようにしている。
【先行技術文献】
【特許文献】
【０００４】
【特許文献１】特開２００９−１４１８８４号公報
【発明の概要】
【発明が解決しようとする課題】
【０００５】
例えばテレビ受像機等に搭載するスピーカシステムでは、再生可能周波数帯域を拡大して品位の高い音響特性を得るために、相対的に低域側の音を放出するミッドレンジスピーカと、相対的に高域側の音を放出するツイータとを用いることがある。
しかしながら、上記のようなテレビ受像機の薄型、狭額縁化の要求による設計的な制約により、ミッドレンジスピーカから放出する音の帯域と、ツイータから放出する音の帯域とが重なってしまうことがしばしばある。
【０００６】
図８は、ミッドレンジスピーカとツイータとの音圧特性の一例を図で、図中、Ｍはミッドレンジスピーカの音圧特性、Ｔはツイータの音圧特性の一例である。
図８に示すように、ミッドレンジスピーカとツイータとを使用するスピーカシステムにおいて、それぞれのスピーカが受け持つ帯域、つまり各スピーカから放出される音の帯域が同程度の音圧レベルで重なる現象が生じる。図８の例では、例えばＡに示す帯域で、同程度の音圧レベルの波長域が重なる。
これにより、両スピーカから放出される音が干渉し、音質が劣化する。このとき、リスニングポイントによって両スピーカからの音の位相差が変化するため、リスニングポイントに依存して音質が変化する。
【０００７】
図９は、リスニングポイントによって変化する音の干渉の様子の一例を示す図で、ミッドレンジスピーカとツイータとの両方から放出された音の音圧レベルを異なるリスニングポイントで聞いたときに音圧レベルが変化する例を示すものである。
ミッドッレンジスピーカとツイータとから放出される音の帯域に同程度の音圧レベルで重なる波長域Ａがある場合、その波長領域では、リスニングポイント（音を集音するマイクの位置）をずらしていったときに、干渉により音圧特性が変化し、これが音質の劣化となって現れる。
【０００８】
リスニングポイントをずらしていくことにより、ミッドレンジスピーカとツイータとのそれぞれからリスニングポイントまでの距離が変化する。このきに、両スピーカから同じ波長の音が放出されていると、リスニングポイントの移動に応じてその波長の音の位相差が変化し、干渉の状態が変化する。従ってリスニングポイントに依存して音圧レベルが変化し、その結果音質の劣化が生じる。
【０００９】
このような２つのスピーカから放出された音が干渉することによる音質劣化の問題に対して、例えば、ハイファイオーディオシステムにおいては、ミッドレンジスピーカとツイータを使用する構成でコイルやコンデンサを用いてネットワーク回路を構築し、ミッドレンジスピーカにおける不要な高域の音を遮断するとともに、ツイータにおける不要な低域の音を遮断する。そしてこれにより、ミッドレンジスピーカから放出する音の帯域と、ツイータから放出する音の帯域とを分離し、これら二つのスピーカからの音の干渉を防ぐことが行われている。
【００１０】
しかしながら、上記のようなネットワーク回路を構成したとしても、ネットワーク回路の次数が低ければ、目的とする帯域の音の遮断が不十分となる。ましてや、上記のような設計的制約を有するテレビ受像機等にこれらのスピーカを搭載する場合、例えばスペースの制約やコスト上の制約からネットワーク回路にコイルを配置することが困難になる。
例えば、図１０のネットワーク回路図に示すように、ミッドレンジスピーカＭとツイータＴとを有する構成において、簡易的にツイータＴ側にコンデンサＣを設置し、ツイータＴの低域をカットして干渉をできるだけ防ぐ程度のことが行われる。しかしながら、この場合でも干渉帯域の音の遮断は十分ではなく、音質劣化を解消することはできない。また、テレビ受像機等の映像表示装置では部品コストに対する要求も厳しく、目的とする帯域遮断性能を十分に有するネットワーク回路を組むことができないことがほとんどである。
【００１１】
また、電気回路の周波数伝達特性やソフトウェア上での信号処理を通じて周波数特性を変化させるイコライザを使用して、周波数特性を調整することも考えられるが、ミッドレンジスピーカとツイータとから放出させる音声信号は同一ソースの音声信号であるため、その音声信号にこのようなイコライザを適用してもうまく周波数帯域を制御することができない。また、同一ソースの音声信号を二つに分けてからそれぞれの音声信号に対して上記のようなイコライザによる処理を行うことも考えられるが、スペースの制約やコスト上の制約、構造の複雑化・煩雑化等が生じるため現実的ではない。
これらの結果、ミッドレンジスピーカとツイータとの干渉による音質劣化を許容することになってしまっている。
【００１２】
特許文献１の技術は、１つのスピーカに対して音響調整部材を設けることでスピーカの指向性を改善しようとするものであり、上記のようなそれぞれ異なる帯域の音を放出する２個のスピーカをアンプ１チャンネルに有するスピーカシステムにおいて、その音質劣化を防ぐために適用できるものではない。
【００１３】
本発明は、上述のごとき実情に鑑みてなされたもので、それぞれ異なる帯域の音を放出する２個のスピーカをアンプ１チャンネルに有するスピーカシステムにおいて、ネットワーク回路を構成する必要なく、スピーカから放出された音の帯域を効果的に制限する構成を備えることで、リスニングポイントに依存することなく高音質の音響特性が得られるようにしたスピーカシステムと、そのスピーカシステムを備えた映像表示装置とを提供することを目的とする。
【課題を解決するための手段】
【００１４】
上記課題を解決するために、本発明の第１の技術手段は、それぞれ異なる帯域の音を放出する少なくとも２個のスピーカをアンプ１チャンネルあたりに有するスピーカシステムにおいて、各スピーカのスピーカ軸に沿った音の放出方向を前方とするとき、相対的に低帯域側の音を放出するスピーカの前方に、遮蔽物を有することを特徴としたものである。
【００１５】
第２の技術手段は、第１の技術手段において、前記遮蔽物が、相対的に低帯域側の音を放出するスピーカの中でも、特に高い周波数の音を集中的に放出するスピーカ中央部の前方に配置されていることを特徴としたものである。
【００１６】
第３の技術手段は、第１の技術手段において、前記遮蔽物が、相対的に低帯域側のスピーカが音を放出する領域の前方に、所定の大きさ以上の総面積の開口を形成し、該開口は、前記低帯域側の音を放出するスピーカの音の放出部の中心よりも、相対的に高帯域側の音を放出するスピーカ側に寄せて設けられていることを特徴としたものである。
【００１７】
第４の技術手段は、第３の技術手段において、前記低帯域側の音を放出するスピーカの中心に対して、前記開口が寄せて設けられた側と反対側の前記遮蔽物に、前記所定の大きさより小さい面積の開口を設けることを特徴としたものである。
【００１８】
第５の技術手段は、第１〜４のいずれか１の技術手段のスピーカシステムを備えた映像表示装置である。
【発明の効果】
【００１９】
本発明によれば、それぞれ異なる帯域の音を放出する２個のスピーカをアンプ１チャンネルに有するスピーカシステムにおいて、ネットワーク回路を構成する必要なく、スピーカから放出された音の帯域を効果的に制限する構成を備えることで、リスニングポイントに依存することなく高音質の音響特性が得られるようにしたスピーカシステムと、そのスピーカシステムを備えた映像表示装置を提供することができる。
【図面の簡単な説明】
【００２０】
【図１】本発明によるスピーカシステムの一実施形態の構成を示す概略図である。
【図２】遮蔽物の有無による音圧特性の一例を示す図である。
【図３】本発明によるスピーカシステムの他の実施形態の構成を示す概略図である。
【図４】本発明によるスピーカシステムの更に他の実施形態の構成を示す概略図である。
【図５】本発明によるスピーカシステムの更に他の実施形態の構成を示す概略図である。
【図６】所定の大きさより小さい開口の有無による音圧特性の一例を示す図である。
【図７】本発明によるスピーカシステムを備えたテレビ受像機の外観構成の一例を示す図である。
【図８】ミッドレンジスピーカとツイータとの音圧特性の一例を図である。
【図９】リスニングポイントによって変化する音の干渉の様子の一例を示す図である。
【図１０】簡易的にコンデンサを設けたネットワーク回路の一例を示す図である。
【発明を実施するための形態】
【００２１】
以下に本発明に係るスピーカシステムの実施形態を添付された図面を参照しながら具体的に説明する。なお、実施形態を説明するための全図において、同様の機能を有する部分には同じ符号を付け、その繰り返しの説明は省略する。
図１は、本発明によるスピーカシステムの一実施形態の構成を示す概略図で、図１（Ａ）は、遮蔽物を配置したミッドレンジスピーカの正面概略図、図１（Ｂ）は、その上面概略図である。図１において、１はミッドレンジスピーカ、２は遮蔽物、２１ａ〜２１ｄは遮蔽物２によって形成されるスピーカ前方の開口である。
本実施形態のスピーカシステムは、それぞれ異なる帯域の音を放出する２個のスピーカをアンプ１チャンネルに有するもので、２個のスピーカとして、相対的に低帯域側の音を放出するミッドレンジスピーカ１と、相対的に高帯域側の音を放出するツイータ（図１では図示せず）とが用いられる。
【００２２】
そして本実施形態の構成は、各スピーカのスピーカ軸に沿った音の放出方向Ｆを前方とするとき、ミッドレンジスピーカ１の前方に、遮蔽物２を備える。遮蔽物２は、複数の開口２１ａ〜２１ｄを備え、ミッドレンジスピーカ１の音の放出領域（振動板領域）の前方を遮蔽物２によって遮蔽する領域と、開口２１ａ〜２１ｄによって解放する領域とが形成される。開口２１ａ〜２１ｄは、ミッドレンジスピーカ１からの音を聴取者側に放出するために設けられるもので、開口２１ａ〜２１ｄの総開口面積は、所定の大きさ以上の総面積とされる。また、開口２１ａ〜２１ｄの形状や数は限定されるものではなく、例えば、小面積の丸孔を複数集合させて所定の総面積以上の開口を形成したものであってもよい。
【００２３】
遮蔽物２を備えることにより、ミッドレンジスピーカから放出された音のうち高周波帯域の音を遮断して、高周波帯域の音が前方に放出されないようにすることができる。高周波帯域は回折角が小さく、遮蔽物２による減衰が大きいため、ミッドレンジスピーカ１から放出される高周波帯域の音を効果的に減衰させることができる。
【００２４】
図２は、遮蔽物の有無による音圧特性の一例を示す図で、図中、Ｐ１は、ミッドレンジスピーカ１の前方に遮蔽物２を設けていないときの音圧特性の例、Ｐ２は、ミッドレンジスピーカ１の前方に遮蔽物２を設けたときの音圧特性の例を示す。図示するように、ミッドレンジスピーカ１の前方に遮蔽物２を設けることにより、高周波帯域の音圧レベルを減衰させることができる。これにより、ミッドレンジスピーカ１とツイータとを備えたスピーカシステムにおいて、ミッドレンジスピーカの高周波帯域側の音圧レベルが減衰しているため、同程度の音圧レベルで波長域が重複する音が削減され、干渉による音声劣化を抑えることができるようになる。
【００２５】
また、本実施形態では、上記の遮蔽物２は、相対的に高い周波数の音が集中的に放出されるスピーカ中央部の前方を遮蔽するように配置されていることが好ましい。スピーカは、一般にその中央部にて相対的に高い周波数の音が集中的に放出されている。
従って、高周波帯域の音を効率的に減衰させるために、ミッドレンジスピーカ１の音の放出領域前方を遮蔽物２で遮蔽するとき、そのミッドレンジスピーカ１の中央部前方を遮蔽するように構成する。これにより、ミッドレンジスピーカ１から放出される他の帯域の音に影響を与えることなく、高周波帯域の音のみを効率的に減衰させることができる。中央部の範囲としては、ミッドレンジスピーカ１の中心を含む所定範囲の領域とすることができる。またこのときの中央部の領域は、対称形状でなく、スピーカ中心からいずれかの方向に偏った領域をもつ形状としてもよい。
そして上記構成により、高周波帯域の音を効果的に減衰させたミッドレンジスピーカ１からの音と、ツイータから放出された音との干渉を防ぎ、良好な音質により音を放出させることができる。
【００２６】
図３は、本発明によるスピーカシステムの更に他の実施形態の構成を示す概略図である。本実施形態において、遮蔽物２は、相対的に低帯域側の音を放出するミッドレンジスピーカ１が音を放出する領域の前方の領域のうち、スピーカの中心の両側の領域の両方に、所定の大きさ以上の開口を設けないように配置される。図３（Ａ）は、このときの遮蔽物を配置したミッドレンジスピーカの正面概略図、図３（Ｂ）は、その上面概略図である。
【００２７】
この例では、ミッドレンジスピーカ１の中心ｃの片側に、遮蔽物２によって形成される開口２１ｃ，２１ｄが設けられている。中心ｃは、例えば、ミッドレンジスピーカ１の振動板領域の点対称中心である。この構成により、ミッドレンジスピーカ１の中心ｃの両側に開口が分散することなく、開口が集約されて設けられるため、各開口２１ｃ，２１ｄを通して放出される音同士が干渉することなく、高音質の音を放出させることができる。また、このときに、ミッドレンジスピーカ１の中心ｃを含むスピーカ中央部の前方を遮蔽物２が遮蔽するように構成されているので、高周波帯域の音のみを効率的に減衰させる効果が得られる。
【００２８】
図３（Ｃ）は、遮蔽物２により形成される開口の配置の好ましくない例を示している。この図に示すように、二つの開口２１ａ，２１ｄが、ミッドレンジスピーカ１の中心ｃの両側に分散して設けられている。この場合、開口２１ａ，２１ｄ間の左右の距離が長くなり、リスニングポイントまでの距離の差が生じて干渉が起きる可能性が高くなる。これに対して、上記図３（Ａ）、（Ｂ）のように、中心ｃに対して片側に開口を設けることで、開口から放出された音による干渉を抑えることができる。
【００２９】
図４は、本発明によるスピーカシステムの更に他の実施形態の構成を示す概略図である。図４では、図３のミッドレンジスピーカ１と遮蔽物２との構成に加えて、スピーカシステムが有するツイータ３が示されている。本発明に係る実施形態では、ミッドレンジスピーカ１とツイータ３とは、音声信号を出力するためのアンプ１チャンネルあたりに設けられている。従って、２チャンネルの音声信号を出力するスピーカシステムであれば、ミッドレンジスピーカ１とツイータ３とはアンプ１チャンネルごとに１つずつで、計２つずつ設けられている。
【００３０】
そして本実施形態では、図３の構成と同様に、ミッドレンジスピーカ１の前方に遮蔽物２が設けられ、その遮蔽物２は、ミッドレンジスピーカ１が音を放出する領域の前方に総面積が所定の大きさ以上の開口２１ｃ，２１ｄを形成する。そしてその開口２１ｃ、２１ｄは、ミッドレンジスピーカ１の中心ｃの両側の領域の両方にその開口２１ｃ，２１ｄを設けないようにしている。本実施形態では、開口２１ｃ，２１ｄは、ミッドレンジスピーカ１の音の放出部の中心ｃよりも、ツイータ３側に寄せて設けられている。
【００３１】
上記のように、遮蔽物２をミッドレンジスピーカ１の中央部の前方を遮蔽するように配置し、遮蔽物２によって形成される開口２１ｃ、２１ｄをミッドレンジスピーカ１の中心ｃの片側に寄せて配置した場合であっても、さらに、ミッドレンジスピーカ１とツイータ３とから放出される音の周波数が重なる領域で干渉する可能性がある。干渉により音圧が減衰してしまうと対処することが難しい。
このため、本実施形態では、ミッドレンジスピーカ１の中心ｃに対して片側に設けられた開口２１ｃ，２１ｄは、ミッドレンジスピーカ１の音の放出部の中心ｃよりも、ツイータ３側に寄せて設けられる。これにより、ミッドレンジスピーカ１からの音が放出される開口２１ｃ，２１ｄと、ツイータ３との間の距離が短くなり、同じ周波数帯域の音が同程度の音圧で放出されたとしても、リスニングポイントまでの距離差が生じにくくなり、干渉による音の減衰を抑えることができる。
【００３２】
例えば、ミッドレンジスピーカ１とツイータ３とから放出される音の位相が互いに逆位相になって打消し合うときの周波数と、ミッドレンジスピーカ１とツイータ３との間の距離との関係を考える。
ここでは、ミッドレンジスピーカ１とリスニングポイントとの距離ｄ１、及びツイータ３とリスニングポイントとの距離ｄ２があるとき、理論上、ｄ１とｄ２の距離差が約２．１２５ｃｍであるとき、各スピーカから８ｋＨｚの音が放出されると初めて完全な逆位相となり、それより十分低い周波数では逆位相とならず、打消し合う干渉がほとんど生じない。これは、音速を約３４０ｍ／秒と仮定したときに、３４０ｍ／秒÷８０００Ｈｚ÷２＝２．１２５ｃｍの関係式がなりたつことによる。これに対して、ｄ１とｄ２との距離差が約１．０６２５ｃｍと短くなった場合、各スピーカから１６ｋＨｚの音が放出されると初めて完全な逆位相となり、それより十分低い周波数では逆位相とならず、打消し合う干渉がほとんど生じない。
【００３３】
すなわち、各スピーカからの距離の距離差が短くなるほど、干渉が発生し得る周波数は高周波数側に寄る。距離差が短くなることは、各スピーカ間の距離が短くなることを意味する。そしてこの場合、打消し合う干渉が発生し得る周波数帯域では、ミッドレンジスピーカ１の出力音圧レベルは十分に減衰しているため、ツイータ３との干渉による減衰を大幅に削減することができる。このように、ミッドレンジスピーカ１からの音を放出する遮蔽物２の開口をツイータ３側に寄せて設け、その開口とツイータ３との距離を短くすることで、各スピーカから放出される音の干渉による音質低下を抑えることができる。
【００３４】
図５は、本発明によるスピーカシステムの更に他の実施形態の構成を示す概略図である。本実施形態では、上記図３、図４に示すようなミッドレンジスピーカ１の前方の遮蔽物２に、総面積が所定の大きさ以上の開口２１ｃ，２１ｄを形成し、ミッドレンジスピーカ１の中心ｃの両側の領域の両方にその開口２１ｃ，２１ｄを設けないようにする構成において、ミッドレンジスピーカ１の中心ｃに対して、開口２１ｃ，２１ｄが寄せて設けられた側と反対側の遮蔽物に、所定の大きさより小さい面積の開口２２を設けるものとする。
【００３５】
この開口２２は、ミッドレンジスピーカ１の中心ｃに対して、総面積が所定の大きさ以上の開口２１ｃ，２１ｄと反対側に設けられるもので、遮蔽物２とミッドレンジスピーカ１との間の空間の近傍に設けることができる。開口２２は、図５に示すように、ミッドレンジスピーカ１の前方領域の外側近傍に設けられているが、ミッドレンジスピーカ１の前方領域に設けるものであってもよい。この開口２２を設けることで、遮蔽物２により形成された上記空間のスティフネス（空気のかたさ）を低減させることができ、これにより、空間のスティフネスに起因して生じる周波数帯域全体にわたる音圧低下を防ぐことができるようになる。
【００３６】
図６は、空間のスティフネスを改善するための開口の有無による音圧特性の一例を示す図で、図中、Ｐ３は、遮蔽物２に所定の大きさより小さい開口２２を設けていないときの音圧特性の例、Ｐ４は、ミッドレンジスピーカ１の前方に遮蔽物２を設けたときの音圧特性の例を示す。
図示するように、ミッドレンジスピーカ１の中心に対して、総面積が所定の大きさ以上の開口と反対側に、空間のスティフネスを改善するための所定の大きさより小さい開口２２を設けることにより、周波数帯域全体にわたる音圧低下を改善し、音圧レベルを向上させることができ、これにより音質向上に寄与させることができる。
【００３７】
図７は、本発明によるスピーカシステムを備えた映像表示装置のひとつである、テレビ受像機の外観構成の一例を示す図である。テレビ受像機１０は、液晶パネル等を用いた表示部１１の前面周囲に前フレーム１２が設けられる。前フレーム１２は、表示部１１の額縁を構成し、近年ではこの額縁が狭い所謂狭額縁化が進んでいる。また、表示部１１を含むテレビ受像機１０の各光学要素や電気・電子要素、ミッドレンジスピーカ１及びツイータ３を含むスピーカシステム等は、筐体１３の内部に収容される。このテレビ受像機１０は、アンテナで受信した放送信号を選局して復調し、復号して再生用映像信号及び再生用音声信号を生成する手段を有し、再生用映像信号に適宜所定の画像処理を施して、表示部１１に表示させるともに、再生用音声信号をスピーカシステムから音声出力させる機能を有している。
【００３８】
テレビ受像機１０が備えるスピーカシステムは、上記各実施形態の構成を採ることができ、それぞれ異なる帯域の音を放出する２個のスピーカをアンプ１チャンネルあたりに有するスピーカシステムとして構成される。これら２個のスピーカは、相対的に低帯域側の音を放出するミッドレンジスピーカと相対的に高帯域側の音を放出するツイータとを備えることができる。また、これらに加えて、さらに低周波数領域を受け持つウーハーを備えることができる。
【００３９】
そして、本発明の一実施形態では、上述したミッドレンジスピーカ１の前方を遮蔽する遮蔽物２を筐体１３の一部として設けることができる。すなわち、筐体１３の内部の所定位置にミッドレンジスピーカ１とツイータ３と設け、ミッドレンジスピーカ１の前面側に、上記各実施形態に示すような構成で、筐体１３の一部として遮蔽物２を設ける。これにより、テレビ受像機１０にさらに余分な部材を付加する必要なく、また薄型化、狭額縁化を維持した上で、遮蔽物２を効果的に配置することができるようになる。
【００４０】
なお、上記の各実施形態に記載されている技術的特徴はお互いに組み合わせ可能であり、組み合わせることによって他の技術的特徴を形成することができる。
【００４１】
スピーカシステムは、それぞれ異なる帯域の音を放出する少なくとも２個のスピーカをアンプ１チャンネルあたりに有するスピーカシステムにおいて、各スピーカのスピーカ軸に沿った音の放出方向を前方とするとき、相対的に低帯域側の音を放出するスピーカの前方に、遮蔽物を有するものであってよい。これにより、ネットワーク回路を構成する必要なく、スピーカから放出された音の帯域を効果的に制限する構成を備えることで、リスニングポイントに依存することなく高音質の音響特性が得られるようにすることができる。
【００４２】
また、スピーカシステムは、上記の遮蔽物が、相対的に低帯域側の音を放出するスピーカの中でも、特に高い周波数の音を集中的に放出するスピーカ中央部の前方に配置されているものであってよい。これにより、ミッドレンジスピーカ１から放出される他の帯域の音に影響を与えることなく、高周波帯域の音のみを効率的に減衰させることができる。
【００４３】
また、スピーカシステムは、上記の遮蔽物が、低帯域側の音を放出するスピーカが音を放出する領域の前方の領域のうち、スピーカの中心の両側の領域の両方に、所定の大きさ以上の総面積の開口を設けないように配置されるものであってよい。これにより、ミッドレンジスピーカ１の中心の両側に開口が分散することなく、開口が集約されて設けられるため、各開口を通して放出される音同士が干渉することなく、高音質の音を放出させることができる。
【００４４】
また、スピーカシステムは、上記の遮蔽物が、相対的に低帯域側のスピーカが音を放出する領域の前方に開口を形成し、その開口は、低帯域側の音を放出するスピーカの音の放出部の中心よりも、相対的に高帯域側の音を放出するスピーカ側に寄せて設けられているものであってよい。これにより、ミッドレンジスピーカ１からの音が放出される開口と、ツイータ３との間の距離が短くなり、同じ周波数帯域の音が同程度の音圧で放出されたとしても、リスニングポイントまでの距離差が生じにくくなり、干渉による音の減衰を抑えることができる。
【００４５】
また、スピーカシステムは、低帯域側の音を放出するスピーカの音の中心に対して、開口が寄せて設けられた側と反対側の遮蔽物に、前記所定の大きさより小さい面積の開口を設けるものであってよい。これにより、遮蔽物２により形成された空間のスティフネス（空気のかたさ）を低減させることができ、これにより、空間のスティフネスに起因して生じる周波数帯域全体にわたる音圧低下を防ぐことができるようになる。
【００４６】
また、スピーカシステムは、各スピーカを収容する筐体を有し、上記の遮蔽物は、筐体の一部として設けられているものであってよい。これにより、筐体にスピーカシステムを収容する構成において、さらに遮蔽部のための余分な部材を付加する必要なく、また、筐体の小型化等を維持した上で、遮蔽物を効果的に配置することができるようになる。
また、上記のスピーカシステムを備えることで、リスニングポイントに依存することなく高音質の音響特性が得られる映像表示装置を提供することができる。
【符号の説明】
【００４７】
１…ミッドレンジスピーカ、２…遮蔽物、３…ツイータ、１０…テレビ受像機、１１…表示部、１２…前フレーム、１３…筐体、２１ａ〜２１ｄ…開口、２２…開口。
【図１】
2014086831.tif 000003
【図２】
2014086831.tif 000004
【図３】
2014086831.tif 000005
【図４】
2014086831.tif 000006
【図５】
2014086831.tif 000007
【図６】
2014086831.tif 000008
【図７】
2014086831.tif 000009
【図８】
2014086831.tif 000010
【図９】
2014086831.tif 000011
【図１０】
2014086831.tif 000012